【手続補正書】
【提出日】平成21年9月4日(2009.9.4)
【手続補正１】
【補正対象書類名】特許請求の範囲
【補正対象項目名】全文
【補正方法】変更
【補正の内容】
【特許請求の範囲】
【請求項１】
帳票画像上の各記入欄に記入された情報をデータとして入力するデータエントリ装置であって、
前記各記入欄に記入される情報のデータ種別及び前記各記入欄に対応する部分画像を切り出すための切出領域を設定する第１の設定手段と、
前記第１の設定手段によって設定されたデータ種別を自由記入欄として設定する第２の設定手段と、
前記第２の設定手段によって設定された自由記入欄に関連付けるデータ種別の選択を受け付ける受付手段と、
前記第１の設定手段によって設定された切出領域に基づいて前記帳票画像上の各記入欄に対応する部分画像を切り出す切出手段と、
前記切出手段によって切り出された部分画像のうち、前記入力の対象となる部分画像と前記入力の対象となる部分画像に対応するデータ入力欄とを含む表示情報を画面に表示するために作成する作成手段とを備え、
前記作成手段は、前記入力の対象となる部分画像が前記受付手段によって自由記入欄に関連付けられたデータ種別である場合、当該自由記入欄に対応する部分画像を前記入力の対象となる部分画像と共に表示するために配置するように、前記作成する表示情報に追加する追加手段を備えることを特徴とするデータエントリ装置。
【請求項２】
前記追加手段は、前記入力の対象となる部分画像以外の画面に表示される他の部分画像が前記自由記入欄に関連付けられたデータ種別である場合、当該自由記入欄に関連付けられていることを示す識別情報を当該他の部分画像と共に表示するために配置するように、前記作成する表示情報に追加することを特徴とする請求項１に記載のデータエントリ装置。
【請求項３】
前記作成手段は、前記入力の対象となる部分画像以外の画面に表示される他の部分画像が前記自由記入欄に関連付けられたデータ種別である場合、当該他の部分画像の表示方法を当該他の部分画像以外の部分画像と異なるように前記表示情報を作成することを特徴とする請求項１に記載のデータエントリ装置。
【請求項４】
前記帳票画像の自由記入欄に記入された情報があるか否かを判断する判断手段を更に備え、
前記判断手段によって前記自由記入欄に情報があると判断した場合は、前記受付手段によって前記自由記入欄に関連付けるデータ種別を受け付けることを特徴とする請求項１乃至３のいずれか１項に記載のデータエントリ装置。
【請求項５】
前記作成手段は、前記入力の対象となる部分画像と当該部分画像以外の少なくとも１つの他の部分画像とを同一及び／又は互いに異なる帳票画像から切り出して前記表示情報を作成することを特徴とする請求項１乃至４のいずれか１項に記載のデータエントリ装置。
【請求項６】
帳票画像上の各記入欄に対応する部分画像から当該各記入欄に記入された情報をエントリデータとして入力するデータエントリ装置と、当該データエントリ装置にネットワークを介して接続されたデータ管理装置とで構成されるデータエントリシステムにおいて、
前記データ管理装置は、
前記各記入欄に記入される情報のデータ種別及び前記部分画像の切出領域を記憶する第１の記憶手段と、
前記第１の記憶手段によって記憶されたデータ種別を自由記入欄として設定し、当該自由記入欄に関連付けるデータ種別を記憶する第２の記憶手段と、
前記データエントリ装置から受信した前記エントリデータを記憶する第３の記憶手段とを備え、
前記データエントリ装置は、
前記自由記入欄に関連付けるデータ種別を受け付け、前記第２の記憶手段に記憶する受付手段と、
前記第１の記憶手段によって記憶された切出領域に基づいて作成した前記帳票画像上の各記入欄に対応する部分画像のうち、前記入力の対象となる部分画像と前記入力の対象となる部分画像に対応するデータ入力欄とを含む表示情報を画面に表示するために作成する作成手段と、
前記入力の対象となる部分画像が前記受付手段によって自由記入欄に関連付けられたデータ種別である場合、当該自由記入欄に対応する部分画像を前記入力の対象となる部分画像と共に表示するために配置するように、前記作成手段によって作成された表示情報に追加する追加手段と、
前記表示情報に基づいてデータエントリ用画面を表示する表示手段と、
前記データエントリ用画面を介して受け付けたエントリデータを前記データ管理装置に送信して前記第３の記憶手段に記憶するデータ送信手段とを備えることを特徴とするデータエントリシステム。
【請求項７】
帳票画像上の各記入欄に記入された情報をデータとして入力するデータエントリ装置の制御方法であって、
前記各記入欄に記入される情報のデータ種別及び前記各記入欄に対応する部分画像を切り出すための切出領域を設定する第１の設定工程と、
前記第１の設定工程によって設定されたデータ種別を自由記入欄として設定する第２の設定工程と、
前記第２の設定工程によって設定された自由記入欄に関連付けるデータ種別の選択を受け付ける受付工程と、
前記第１の設定工程によって設定された切出領域に基づいて前記帳票画像上の各記入欄に対応する部分画像を切り出す切出工程と、
前記切出手段によって切り出された部分画像のうち、前記入力の対象となる部分画像と前記入力の対象となる部分画像に対応するデータ入力欄とを含む表示情報を画面に表示するために作成する作成工程とを備え、
前記作成工程は、前記入力の対象となる部分画像が前記受付工程によって自由記入欄に関連付けられたデータ種別である場合、当該自由記入欄に対応する部分画像を前記入力の対象となる部分画像と共に表示するために配置するように、前記作成する表示情報に追加する追加工程を備えることを特徴とするデータエントリ装置の制御方法。
【請求項８】
帳票画像上の各記入欄に記入された情報をデータとして入力する制御方法をコンピュータに実行させるためのプログラムであって、
前記各記入欄に記入される情報のデータ種別及び前記各記入欄に対応する部分画像を切り出すための切出領域を設定する第１の設定ステップと、
前記第１の設定ステップによって設定されたデータ種別を自由記入欄として設定する第２の設定ステップと、
前記第２の設定ステップによって設定された自由記入欄に関連付けるデータ種別を受け付ける受付ステップと、
前記第１の設定ステップによって設定された切出領域に基づいて前記帳票画像上の各記入欄に対応する部分画像を切り出す切出ステップと、
前記切出ステップによって切り出された部分画像のうち、前記入力の対象となる部分画像と前記入力の対象となる部分画像に対応するデータ入力欄とを含む表示情報を画面に表示するために作成する作成ステップとを備え、
前記作成ステップは、前記入力の対象となる部分画像が前記受付ステップによって自由記入欄に関連付けられたデータ種別である場合、当該自由記入欄に対応する部分画像を前記入力の対象となる部分画像と共に表示するために配置するように、前記作成する表示情報に追加する追加ステップを備えることを特徴とするプログラム。
【請求項９】
請求項８に記載したプログラムをコンピュータで読み取り可能な記録媒体。
【手続補正２】
【補正対象書類名】明細書
【補正対象項目名】００１１
【補正方法】変更
【補正の内容】
【００１１】
上記目的を達成するために、請求項１記載のデータエントリ装置は、帳票画像上の各記入欄に記入された情報をデータとして入力するデータエントリ装置であって、前記各記入欄に記入される情報のデータ種別及び前記各記入欄に対応する部分画像を切り出すための切出領域を設定する第１の設定手段と、前記第１の設定手段によって設定されたデータ種別を自由記入欄として設定する第２の設定手段と、前記第２の設定手段によって設定された自由記入欄に関連付けるデータ種別の選択を受け付ける受付手段と、前記第１の設定手段によって設定された切出領域に基づいて前記帳票画像上の各記入欄に対応する部分画像を切り出す切出手段と、前記切出手段によって切り出された部分画像のうち、前記入力の対象となる部分画像と前記入力の対象となる部分画像に対応するデータ入力欄とを含む表示情報を画面に表示するために作成する作成手段とを備え、前記作成手段は、前記入力の対象となる部分画像が前記受付手段によって自由記入欄に関連付けられたデータ種別である場合、当該自由記入欄に対応する部分画像を前記入力の対象となる部分画像と共に表示するために配置するように、前記作成する表示情報に追加する追加手段を備えることを特徴とする。
【手続補正３】
【補正対象書類名】明細書
【補正対象項目名】００１２
【補正方法】変更
【補正の内容】
【００１２】
上記目的を達成するために、請求項６記載のデータエントリシステムは、帳票画像上の各記入欄に対応する部分画像から当該各記入欄に記入された情報をエントリデータとして入力するデータエントリ装置と、当該データエントリ装置にネットワークを介して接続されたデータ管理装置とで構成されるデータエントリシステムにおいて、前記データ管理装置は、前記各記入欄に記入される情報のデータ種別及び前記部分画像の切出領域を記憶する第１の記憶手段と、前記第１の記憶手段によって記憶されたデータ種別を自由記入欄として設定し、当該自由記入欄に関連付けるデータ種別を記憶する第２の記憶手段と、前記データエントリ装置から受信した前記エントリデータを記憶する第３の記憶手段とを備え、前記データエントリ装置は、前記自由記入欄に関連付けるデータ種別を受け付け、前記第２の記憶手段に記憶する受付手段と、前記第１の記憶手段によって記憶された切出領域に基づいて作成した前記帳票画像上の各記入欄に対応する部分画像のうち、前記入力の対象となる部分画像と前記入力の対象となる部分画像に対応するデータ入力欄とを含む表示情報を画面に表示するために作成する作成手段と、前記入力の対象となる部分画像が前記受付手段によって自由記入欄に関連付けられたデータ種別である場合、当該自由記入欄に対応する部分画像を前記入力の対象となる部分画像と共に表示するために配置するように、前記作成手段によって作成された表示情報に追加する追加手段と、前記表示情報に基づいてデータエントリ用画面を表示する表示手段と、前記データエントリ用画面を介して受け付けたエントリデータを前記データ管理装置に送信して前記第３の記憶手段に記憶するデータ送信手段とを備えることを特徴とする。
【手続補正４】
【補正対象書類名】明細書
【補正対象項目名】００１３
【補正方法】変更
【補正の内容】
【００１３】
上記目的を達成するために、請求項７記載のデータエントリ装置の制御方法は、帳票画像上の各記入欄に記入された情報をデータとして入力するデータエントリ装置の制御方法であって、前記各記入欄に記入される情報のデータ種別及び前記各記入欄に対応する部分画像を切り出すための切出領域を設定する第１の設定工程と、前記第１の設定工程によって設定されたデータ種別を自由記入欄として設定する第２の設定工程と、前記第２の設定工程によって設定された自由記入欄に関連付けるデータ種別の選択を受け付ける受付工程と、前記第１の設定工程によって設定された切出領域に基づいて前記帳票画像上の各記入欄に対応する部分画像を切り出す切出工程と、前記切出手段によって切り出された部分画像のうち、前記入力の対象となる部分画像と前記入力の対象となる部分画像に対応するデータ入力欄とを含む表示情報を画面に表示するために作成する作成工程とを備え、前記作成工程は、前記入力の対象となる部分画像が前記受付工程によって自由記入欄に関連付けられたデータ種別である場合、当該自由記入欄に対応する部分画像を前記入力の対象となる部分画像と共に表示するために配置するように、前記作成する表示情報に追加する追加工程を備えることを特徴とする。